【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
ポータル・サーバと、遮断時ポータル、配置レジストリ、および同期エンジンを含むモバイル装置への通信リンクとを備えたサーバ・システムにおいて、前記ポータル・サーバが、
遮断時モバイル・ポータルのためのモバイル装置固有のコンテンツ・トポロジーを、前記サーバ・システムで自動的に生成する手段を提供するトポロジー・マネージャと、
ユーザ定義の既存の接続時コンテンツ・トポロジーをモバイル装置固有の環境に適合させて、モバイル装置固有のコンテンツ・トポロジーを生成するために、動的情報にアクセスし、前記動的情報を前記トポロジー・マネージャに提供する手段を提供する動的情報マネージャと、
前記遮断時モバイル・ポータルのための前記モバイル装置固有のコンテンツ・トポロジーを、前記モバイル装置固有のコンテンツ・トポロジーに割り当てられた遮断時ポートレット・アプリケーション、および前記遮断時ポートレット・アプリケーションによって提供されるポートレット・データを含めてパッケージする手段を提供するマイグレーション・マネージャと、
前記サーバと前記モバイル装置の間のデータを同期させる同期エンジンと
の各コンポーネントによって特徴づけられるサーバ・システム。
【請求項２】
前記トポロジー・マネージャがユーザ遮断時プロファイル・データベースへのアクセス権を有し、各ユーザ遮断時プロファイルが、ユーザ・プロファイル識別と、選択されたターゲット・モバイル装置と、前記遮断時ターゲット・モバイル・ポータルによって使用される選択された遮断時ポートレット・アプリケーションと、前記関連する動的情報とによって定義される、請求項１に記載のサーバ。
【請求項３】
前記ユーザ定義の遮断時プロファイルが、ユーザ・プロファイル・マネージャによって生成される、請求項１に記載のサーバ。
【請求項４】
前記ユーザ・プロファイル・マネージャが、使用可能なポートレットの選択をサポートするグラフィカル・ユーザ・インターフェースを提供する、請求項３に記載のサーバ。
【請求項５】
前記動的情報マネージャが、前記動的情報を格納するデータベースへのアクセス権を有する、請求項１に記載のサーバ。
【請求項６】
前記動的情報が、通信リンク機能、モバイル装置機能、およびモバイル装置の位置の情報を含む、請求項５に記載のサーバ。
【請求項７】
前記トポロジー・マネージャが、前記ユーザ定義の遮断時プロファイルによって定義された情報を使用して、サーバ・サイドでモバイル装置固有のコンテンツ・トポロジーを生成する、請求項４に記載のサーバ。
【請求項８】
前記ユーザ定義の遮断時プロファイルによって指定された情報が、単一のファイルで前記モバイル装置に送信される、請求項７に記載のサーバ。
【請求項９】
前記マイグレーション・マネージャが、前記モバイル装置固有のコンテンツ・トポロジーと、前記遮断時ポートレット・アプリケーションおよびその配置記述子のためのＷＡＲファイルと、前記遮断時ポートレットによってレンダリングされる前記ポートレット・データとを含むＸＭＬファイルを生成する、請求項８に記載のサーバ。
【請求項１０】
モバイル装置の接続モードから遮断モードへの切換えを可能にする遮断用ポートレットをさらに含む、請求項１に記載のサーバ。
【請求項１１】
遮断時モバイル・ポータルのためのモバイル装置固有のコンテンツ・トポロジーを、サーバ・システム・サイドで生成する手段を提供するトポロジー・マネージャと、ユーザ定義の既存の接続時コンテンツ・トポロジーを、ターゲット・モバイル装置固有の環境用に生成されるモバイル装置固有のコンテンツ・トポロジーに適合させるために、動的情報にアクセスし、前記動的情報を前記トポロジー・マネージャに提供する手段を提供する動的情報マネージャと、前記遮断時モバイル・ポータルのための前記モバイル装置固有のコンテンツ・トポロジーを、前記モバイル装置固有のコンテンツ・トポロジーに割り当てられた遮断時ポートレット・アプリケーション、および前記遮断時ポートレット・アプリケーションによってレンダリングされるポートレット・データを含めてパッケージする手段（ユーザ遮断用プロファイル）を提供するマイグレーション・マネージャと、前記サーバおよび前記モバイル装置の間のデータを同期させる同期エンジンとを含むサーバ・システムへの通信リンクを備えたモバイル装置であって、
遮断時ポータル・フレームワークと、
前記サーバによって提供される遮断時ポートレットと、
前記サーバによって提供される前記遮断時ポートレットを配置し登録するための配置レジストリと、
前記遮断時ポートレット・アプリケーションおよびモバイル装置固有のコンテンツ・トポロジーを受信し、前記ポートレット・アプリケーションによってレンダリングされる前記データを送受信するための同期エンジンと
の各コンポーネントによって特徴づけられるモバイル装置。
【請求項１２】
前記モバイル装置固有のコンテンツ・トポロジー、および前記ポートレット・アプリケーションによってレンダリングされる前記データを格納するデータベースと、
前記モバイル装置および前記サーバ・システムの間の変更を追跡し、前記同期を起動するマイグレーション・マネージャと
をさらに含む、請求項１１に記載のモバイル装置。
【請求項１３】
遮断モードから接続モードへの切換えを可能にする遮断用ポートレットをさらに含む、請求項１２に記載のモバイル装置。
【請求項１４】
前記遮断時ポータル・フレームワークが、遮断時ポータル・サーブレット、組込み集約機能、および組込みポートレット・コンテナを含み、これらすべてのコンポーネントが前記モバイル装置固有の環境に適合される、請求項１１に記載のモバイル装置。
【請求項１５】
ユーザが遮断状態になることを可能にする手段を提供する遮断用ポートレットと、
モバイル装置上で動作するように設計された遮断時ポートレットが割り当てられた接続時ポートレットと、
ユーザ定義の遮断用プロファイルの生成を可能にするユーザ・プロファイル・マネージャと、
変更をユーザ定義の遮断用プロファイルに統合する手段、および前記ターゲット・モバイル装置に送信されるファイルを生成する手段を提供するマイグレーション・マネージャと、
前記ユーザ定義の遮断用プロファイルからの情報に基づき、前記遮断時ポータルのためのモバイル装置固有のコンテンツ・トポロジーを生成する手段を提供するトポロジー・マネージャと、
通信リンク機能、モバイル装置機能、およびモバイル装置位置の情報を使用して、ユーザ定義の既存の接続時コンテンツ・トポロジーを、ターゲット・モバイル装置固有の環境用に生成されるモバイル装置固有のコンテンツ・トポロジーに適合させるために、動的情報によって前記トポロジー・マネージャをサポートする手段を提供する動的情報マネージャと、
前記ポータル・サーバ遮断時ポートレットと前記モバイル装置遮断時ポートレットの間でデータを同期させる同期サーバおよび同期エンジンと
を含むポータル・サーバ。
【請求項１６】
モバイル装置固有のコンテンツ・トポロジーをポータル・サーバで生成する方法であって、
前記ポータル・サーバおよびモバイル装置の間の、接続モードから遮断モードへの切換えを前記ポータル・サーバで開始するステップと、
前記モバイル装置に複製される、使用可能な遮断時ポートレット・アプリケーションを選択するステップと、
前記選択された遮断時ポートレット・アプリケーション、ならびにチャネル機能、前記モバイル装置機能、および前記モバイル装置の位置の情報に関する動的情報を含むユーザ定義の既存の接続時コンテンツ・トポロジーに基づき、モバイル装置固有のコンテンツ・トポロジーを生成するステップと、
前記モバイル装置固有のコンテンツ・トポロジーを、それに割り当てられた前記選択された遮断時ポートレット・アプリケーション、および選択されたポートレット・アプリケーションによってレンダリングされる前記データを含めてパッケージするステップと、
前記モバイル装置固有のコンテンツ・トポロジーを、それに割り当てられた前記選択された遮断時ポートレット・アプリケーション、および前記選択されたポートレット・アプリケーションによってレンダリングされる前記データを含めて前記モバイル装置に送信するステップと
を含む方法。
【請求項１７】
前記遮断モードが遮断用ポートレットによって達成される、請求項１６に記載の方法
【請求項１８】
前記遮断用ポートレットが、デフォルトですべてのポータル・ページに追加される、請求項１６に記載の方法。
【請求項１９】
前記遮断用ポートレットが、ユーザに前記複製されるポートレット・アプリケーションおよび前記モバイル装置を選択可能にするグラフィカル・ユーザ・インターフェースを表示する、請求項１８に記載の方法。
【請求項２０】
前記選択ステップが、
前記モバイル装置のために前記選択された遮断時ポートレット・アプリケーションが使用可能かどうかを判断するステップと、
前記ユーザ定義の既存の接続時コンテンツ・トポロジーから使用可能でないポートレット・アプリケーションを削除するステップと
をさらに含む、請求項１６に記載の方法。
【請求項２１】
前記サーバ・サイドまたは前記モバイル装置サイドに格納された、前記モバイル装置固有のコンテンツ・トポロジーに属する前記データの各変更を前記接続モードの間に同期させる、請求項１６に記載の方法。